(57)【特許請求の範囲】
【請求項１】
胴体と軸部とを備えるコマ玩具であって、
前記胴体は、
所定の可動範囲内で段階的に移動可能に構成された第１可動部品と、
前記第１可動部品の可動範囲と一部が重複する可動範囲を有し、前記第１可動部品の位置に応じて当該可動範囲が変化する第２可動部品と、
を有し、
前記第２可動部品は、当該コマ玩具の軸線と直交する平面内で、当該コマ玩具の回転方向側に付勢されていることを特徴とするコマ玩具。
【請求項２】
前記第１可動部品は、ラチェット機構により、前記胴体の周方向に沿って当該コマ玩具の回転方向とは反対方向に移動可能に構成されていることを特徴とする請求項１に記載のコマ玩具。
【請求項３】
前記第１可動部品は、前記ラチェット機構により、前記回転方向とは反対方向に不可逆的に移動可能に構成されていることを特徴とする請求項２に記載のコマ玩具。
【請求項４】
前記第２可動部品は、コイルばねにより前記回転方向側に付勢されていることを特徴とする請求項１〜３のいずれか一項に記載のコマ玩具。
【請求項５】
前記胴体は、
前記第１可動部品が前記第２可動部品のうち当該コマ玩具の回転方向とは反対側の端部に当接して、前記第２可動部品の移動が規制された第１の状態と、
前記第１の状態から前記第１可動部品が前記回転方向とは反対方向に移動して、前記第２可動部品が移動可能な第２の状態との、
少なくとも２つの状態に変化することを特徴とする請求項１〜４のいずれか一項に記載のコマ玩具。
【請求項６】
前記胴体は、前記第２の状態から前記第１可動部品が前記回転方向とは反対方向にさらに移動して前記第２可動部品のうち前記回転方向側の端部に当接し、前記第２可動部品の移動が規制された第３の状態に、さらに変化することを特徴とする請求項５に記載のコマ玩具。
【請求項７】
前記第１可動部品及び前記第２可動部品は、互いに同数のものが、前記胴体の外周部において当該胴体の周方向に沿って交互に配置されていることを特徴とする請求項１〜６のいずれか一項に記載のコマ玩具。
【請求項８】
前記胴体は、前記第１可動部品及び前記第２可動部品を支持する支持部材を有し、
前記支持部材は、前記第１可動部品及び前記第２可動部品よりも高弾性の材料で構成された高弾性部を外周部に有し、
前記高弾性部は、前記第１可動部品及び前記第２可動部品の位置の変化に応じて、当該第１可動部品及び当該第２可動部品から次第に露出することを特徴とする請求項１〜７のいずれか一項に記載のコマ玩具。
【発明の詳細な説明】
【技術分野】
【０００１】
本発明はコマ玩具に関するものである。
【背景技術】
【０００２】
従来、胴体と軸部とを備えるコマ玩具において、周方向に沿って移動可能な可動部が胴体に取り付けられたものが知られている（例えば、特許文献１参照）。
このコマ玩具では、自身の回転や相手方のコマ玩具との衝突に伴って可動部がその移動範囲内を移動することで、相手方のコマ玩具に対し、可動部の移動による２段階の攻撃を繰り出すことができる。
【先行技術文献】
【特許文献】
【０００３】
【特許文献１】特許第６２５０２０２号
【発明の概要】
【発明が解決しようとする課題】
【０００４】
しかしながら、上記従来のコマ玩具では、可動部がその移動範囲内を単純に移動するだけなので、胴体の状態に変化が乏しく、その点で興趣性に欠けるところがあった。
【０００５】
本発明は、かかる問題点に鑑みてなされたもので、胴体が興趣性に富んだ変化態様で変化するコマ玩具の提供を目的とする。
【課題を解決するための手段】
【０００６】
第１の手段は、胴体と軸部とを備えるコマ玩具であって、
前記胴体は、
所定の可動範囲内で段階的に移動可能に構成された第１可動部品と、
前記第１可動部品の可動範囲と一部が重複する可動範囲を有し、前記第１可動部品の位置に応じて当該可動範囲が変化する第２可動部品と、
を有し、
前記第２可動部品は、当該コマ玩具の軸線と直交する平面内で、当該コマ玩具の回転方向側に付勢されていることを特徴とする。
【０００７】
第２の手段は、第１の手段において、
前記第１可動部品は、ラチェット機構により、前記胴体の周方向に沿って当該コマ玩具の回転方向とは反対方向に不可逆的に移動可能に構成されていることを特徴とする。
【０００８】
第３の手段は、第２の手段において、
前記第１可動部品は、前記ラチェット機構により、前記回転方向とは反対方向に不可逆的に移動可能に構成されていることを特徴とする。
【００１０】
第４の手段は、第１の手段〜第３の手段のいずれかにおいて、
前記第２可動部品は、コイルばねにより前記回転方向側に付勢されていることを特徴とする。
【００１１】
第５の手段は、第１の手段〜第４の手段のいずれかにおいて、
前記胴体は、
前記第１可動部品が前記第２可動部品のうち当該コマ玩具の回転方向とは反対側の端部に当接して、前記第２可動部品の移動が規制された第１の状態と、
前記第１の状態から前記第１可動部品が前記回転方向とは反対方向に移動して、前記第２可動部品が移動可能な第２の状態との、
少なくとも２つの状態に変化することを特徴とする。
【００１２】
第６の手段は、第５の手段において、
前記胴体は、前記第２の状態から前記第１可動部品が前記回転方向とは反対方向にさらに移動して前記第２可動部品のうち前記回転方向側の端部に当接し、前記第２可動部品の移動が規制された第３の状態に、さらに変化することを特徴とする。
【００１３】
第７の手段は、第１の手段〜第６の手段のいずれかにおいて、
前記第１可動部品及び前記第２可動部品は、互いに同数のものが、前記胴体の外周部において当該胴体の周方向に沿って交互に配置されていることを特徴とする。
【００１４】
第８の手段は、第１の手段〜第７の手段のいずれかにおいて、
前記胴体は、前記第１可動部品及び前記第２可動部品を支持する支持部材を有し、
前記支持部材は、前記第１可動部品及び前記第２可動部品よりも高弾性の材料で構成された高弾性部を外周部に有し、
前記高弾性部は、前記第１可動部品及び前記第２可動部品の位置の変化に応じて、当該第１可動部品及び当該第２可動部品から次第に露出することを特徴とする。
【発明の効果】
【００１５】
第１の手段によれば、コマ玩具の胴体が、所定の可動範囲内で段階的に移動可能に構成された第１可動部品と、当該第１可動部品の可動範囲と一部が重複する可動範囲を有し、第１可動部品の位置に応じて当該可動範囲が変化する第２可動部品とを備える。すなわち、この胴体では、第１可動部品が段階的に移動するとともに、この第１可動部品に規制されたりして第２可動部品の可動範囲が変化する。
したがって、コマ玩具の胴体を興趣性に富んだ変化態様で変化させることができる。
【図面の簡単な説明】
【００１６】
【図１】（ａ）は本発明に係るコマ玩具の一実施形態の斜視図であり、（ｂ）はその遊び方を説明した図である。
【図２】コマ玩具の分解斜視図である。
【図３】胴体を上側から見た分解斜視図である。
【図４】胴体を下側から見た分解斜視図である。
【図５】（ａ）チップを上側から見た斜視図であり、（ｂ）チップを下側から見た斜視図である。
【図６】第１可動部品の移動構造（ラチェット機構）を説明するための胴体の周方向に沿った断面図である。
【図７】胴体のうち上層部材の透明部周辺の平面図である。
【図８】コマ玩具を回転駆動させるランチャーの一例を示した斜視図である。
【図９】上層部材及び下層部材に対する第１可動部品及び第２可動部品の動きを説明するための胴体の平面図である。
【図１０】上層部材及び下層部材に対する第１可動部品及び第２可動部品の動きを説明するための胴体の平面図である。
【発明を実施するための形態】
【００１７】
以下、本発明に係るコマ玩具の実施形態について、図面を参照して説明する。
【００１８】
《１．全体構成》
図１（ａ）は、本発明に係るコマ玩具の一実施形態の斜視図、図１（ｂ）は、その遊び方を説明した図である。
図１（ａ）に示すように、本実施形態のコマ玩具１は、いわゆるコマバトルゲームに使用することが可能なコマ玩具である。このコマ玩具１は、下部構造を構成する軸部１０と、上部構造を構成する性能可変リング３０及び胴体４０とによって構成されており、互いの衝突による衝撃力で相手方のコマ玩具１を図１（ｂ）のように分解させて勝利とするようなバトルゲームに使用できる。
【００１９】
《２．細部構成》
２−１．軸部１０について
図２は、コマ玩具１のうち軸部１０及び性能可変リング３０を断面にした分解斜視図である。本明細書においては、上下、左右及び前後は図２に示した向きをいうものとする。
この図に示すように、軸部１０は、下端部に回転軸１１、上下中間部に鍔１２、上部に円筒部１３を備えている。回転軸１１、鍔１２及び円筒部１３は合成樹脂で形成されている。勿論、材料は合成樹脂に限定されず、全部又は一部が金属製やゴムその他の材料で形成されていてもよい。
鍔１２の下方部分は、当該鍔１２から回転軸１１に向けて段階的に窄んだ形状となっており、全体として略逆円錐状に形成されている。
鍔１２及び円筒部１３には、上下方向に沿ったコマ玩具１全体の軸線と一致する回転軸１１の軸線Ａｘ（以下、単に「軸線Ａｘ」という。）を挟み、前後に孔１５が１つずつ形成されている。また、鍔１２及び円筒部１３には、鍔１２の左右に突出部１６が形成されている（図２には左側のもののみ図示）。この突出部１６は、鍔１２の上下に位置し、その外面は鍔１２の外周面と面一となっている。
また、円筒部１３の内側には円柱体１４が立設されている。この円柱体１４の上端は特に限定はされないが円筒部１３の上端よりも僅かに高い位置に設定されている。この円柱体１４の上端部には径方向外側に張り出す爪１７が前後に１つずつ形成されている。
【００２０】
また、軸部１０は、円筒部１３内側に設けられ円柱体１４の上部外周を取り囲む円筒状の可動部材１８を備えている。この可動部材１８の下端部には径方向外側に張り出す突出片１８ａが前後に１つずつ形成されている。各突出片１８ａは、孔１５に挿入されている。可動部材１８は上下方向に移動可能となっている。また、可動部材１８は、円柱体１４の周囲に巻回させたコイルスプリング１９によって上方へ付勢され、常態では、突出片１８ａが孔１５の上縁に当接している。
この可動部材１８の上面１８ｂには、径方向に延びる凸条２０が左右に１つずつ形成されている（図２には左側のもののみ図示）。
【００２１】
２−２．性能可変リング３０について
本実施形態では、性能可変リング３０として例えば金属製のフライホイールが用いられている。この性能可変リング３０はほぼ円環板状を成している。この性能可変リング３０の底面には軸部１０の鍔１２が下方から収容可能な環状段部３０ａが形成されている。また、性能可変リング３０の上面には左右それぞれに上方に向けて張り出す逆Ｕ字状の突出部３１が１つずつ形成されている（図２には左側のもののみ図示）。各突出部３１の下側部分には、軸部１０の突出部１６を下方から収容可能な凹部３２が形成されている。一方、各突出部３１の上面には、上方に突出する舌片３３が形成されている。
なお、性能可変リング３０としては、フライホイールに代えて或いはフライホイールと一体的で、外周面に突出部があって相手方のコマ玩具１を攻撃し易くしたものや、外周面に凹部があって相手方のコマ玩具１からの攻撃を受け難いものを用いてもよい。
【００２２】
２−３．胴体４０について
図３は、上側から見た胴体４０の分解斜視図であり、図４は、下側から見た胴体４０の分解斜視図である。図５は、胴体４０に取り付けられるチップ５７の斜視図である。また、図６は、胴体４０が備える第１可動部品６１の移動構造（ラチェット機構）を説明するための胴体４０の周方向に沿った断面図であり、図７は、胴体４０のうち後述する上層部材５０の透明部５３周辺の平面図である。
図３及び図４に示すように、胴体４０は軸線Ａｘを中心軸とする円盤状を成している。この胴体４０は、上層部材５０、中層部材６０、下層部材７０を有する３層構造に構成されている。より詳しくは、胴体４０は、上層部材５０と下層部材７０とが、中層部材６０（第１可動部品６１及び第２可動部品６２）を移動可能なように上下に挟持しつつ、互いに固定されて構成されている。
なお、以下の説明では、軸線Ａｘに沿った方向を「軸方向」、軸線Ａｘに垂直な方向を「径方向」、軸線Ａｘを中心とする円周方向を「周方向」という。また、特に断りのない限り、「時計回り」又は「反時計回り」とは、コマ玩具１を平面視した場合における周方向のうちの時計回り又は反時計回りの方向をいう。
【００２３】
２−３ａ．上層部材５０について
上層部材５０は、軸線Ａｘを中心軸とする略円板状に形成されている。この上層部材５０は、平面視で左右がやや幅狭に形成されるとともに、時計回り側に回転する羽根車状の凹凸をその外周面や外周側の表面に有している。
上層部材５０には、性能可変リング３０の舌片３３を下方から挿入可能な弧状スリット５１が、左右２箇所それぞれに形成されている。各弧状スリット５１の周方向長さは舌片３３が十分に移動し得る長さとなっている。
【００２４】
上層部材５０の上面には、略弧状の表面パーツ５２が、外周側の前後２箇所に１つずつ取り付けられている。各表面パーツ５２の下面には２つの嵌合突起５２ａが立設されており、上層部材５０の対応する部位に設けられた２つの貫通穴５０ａに当該嵌合突起５２ａが嵌合されることで、各表面パーツ５２が上層部材５０に取り付けられる。
また、上層部材５０のうち、外周側の左右２箇所は、その下側の中層部材６０及び下層部材７０を視認可能な透明部５３となっている（図７参照）。
【００２５】
上層部材５０の下面には、２つの第１ボス５４ａと、４つの第２ボス５４ｂが立設されている。第１ボス５４ａは、径方向の中程よりもやや外周側の左右２箇所それぞれに配置されている。第２ボス５４ｂは、第１ボス５４ａよりも内周側の前後２箇所に２つずつ配置されている。これら第１ボス５４ａ及び第２ボス５４ｂの各々には、下方に開口するねじ穴が形成されている。また、第１ボス５４ａは、下方から見て反時計回り側に、後述の付勢ばね６２１を支持するための平坦な面を有している。
【００２６】
また、上層部材５０の下面には、後述する中層部材６０の第１可動部品６１をガイドするためのガイド突起５５ａ及びガイド溝５５ｂが、前後２箇所に一組ずつ設けられている。各組のガイド突起５５ａとガイド溝５５ｂとは、周方向に沿った円弧状の突起又は溝部であり、互いに同程度かつ重複しない所定の中心角範囲に亘って形成されている。
さらに、上層部材５０の下面には、後述する中層部材６０の第２可動部品６２をガイドするための２個１組の直線状ガイド突起５６が、左右２箇所に一組ずつ設けられている。各組の直線状ガイド突起５６は、軸線Ａｘを中心とする接線方向に沿った直線状の突起であり、第１ボス５４ａを跨いだ前後両側の同一直線上に設けられている。
【００２７】
また、上層部材５０には、図５に示すようなチップ５７が装着される。
チップ５７は平面視で前後に長尺な蝶形に形成されている。チップ５７の下面には、下方に突出する突出部５７ａが左右に１つずつ設けられている。突出部５７ａは、上層部材５０の孔部５０ｂと下層部材７０の円孔７１の左右両側部分に上方から挿通され（図３、４参照）、下端面を胴体４０の下方に露出させる。この突出部５７ａの下端面には、径方向に延びる凸部を周方向に連ねて形成され、軸部１０の凸条２０に噛み合う起伏部５７ｂが形成されている。
また、チップ５７の前後両端には、下方に延びる被係止片５７ｃが１つずつ形成されている。
なお、このチップ５７は設けられていなくともよい。
【００２８】
２−３ｂ．下層部材７０について
図３及び図４に示すように、下層部材７０は、軸線Ａｘを中心軸とする略円板状に形成されている。この下層部材７０は、平面視での大きさが上層部材５０と略同一に形成されている。ただし、下層部材７０の斜め前後左右の四隅に設けられた高弾性部７０ａの各々は、少なくともその一部が上層部材５０よりも外周側に突出（露出）している（図１０参照）。この高弾性部７０ａは、当該高弾性部７０ａを除く下層部材７０本体や、後述の第１可動部品６１及び第２可動部品６２よりも高弾性のゴム素材等で構成され、当該下層部材７０本体の外周部にインサート成形（一体成形）されている。
下層部材７０の中央には、軸線Ａｘを中心軸とする円孔７１が形成されている。この円孔７１の内周面下端には、斜め前後の部位２箇所それぞれに、径方向内側に向けて張り出す爪７１ａが突設されている。
下層部材７０のうち、円孔７１よりも径方向外側の左右２箇所それぞれには、弧状スリット７２が形成されている。各弧状スリット７２は、上層部材５０の弧状スリット５１と対応する周方向位置及び周方向長さに形成されている。
【００２９】
下層部材７０には、２つの第１貫通孔７３ａと、４つの第２貫通孔７３ｂが形成されている。これら第１貫通孔７３ａ及び第２貫通孔７３ｂは、上層部材５０の第１ボス５４ａ及び第２ボス５４ｂと対応している。具体的に、第１貫通孔７３ａ及び第２貫通孔７３ｂは、それぞれ対応するボスと同一の平面位置に配置されており、各々の上面側には、対応するボスの下端が嵌合されるザグリ穴が形成されている。これら第１貫通孔７３ａ及び第２貫通孔７３ｂに下方から挿通させたビス９１を、対応する上層部材５０の第１ボス５４ａ及び第２ボス５４ｂのねじ穴に螺合させることにより、上層部材５０と下層部材７０とが締結固定される。ただし、上層部材５０の第１ボス５４ａは、後述する第２可動部品６２の貫通孔６２ａに挿通させた状態で、第１貫通孔７３ａにねじ締結される。
【００３０】
下層部材７０の上面には、後述する中層部材６０の第１可動部品６１をガイドするためのガイド突起７５ａ及びガイド溝７５ｂが、前後２箇所に一組ずつ設けられている。各組のガイド突起７５ａ及びガイド溝７５ｂは、上層部材５０のガイド突起５５ａ及びガイド溝５５ｂと対応しており、当該ガイド突起５５ａ及びガイド溝５５ｂと略同一の平面位置に、同様に形成されている。ただし、ガイド突起７５ａは、上層部材５０のガイド突起５５ａよりも中心角範囲がやや短い。
また、下層部材７０の上面には、後述する中層部材６０の第２可動部品６２をガイドするための２個１組の直線状ガイド溝７６が、左右２箇所に一組ずつ設けられている。各組の直線状ガイド溝７６は、上層部材５０の直線状ガイド突起５６と平行な直線状の溝部であり、互いに所定の隙間を介在させつつ同一直線上に設けられている。
【００３１】
下層部材７０には、後述する第１可動部品６１を位置決めするための爪部材７７が、外周側の前後２箇所に１つずつ設けられている。
各爪部材７７は、略平板状に形成されて下層部材７０の上面に嵌合固定されている。また、各爪部材７７は、後述の第１可動部品６１のギヤ部６１１と噛合してラチェット機構をなすフック部７７１を有している。フック部７７１は、周方向に沿って反時計回りに延出した梁状に形成され、時計回り側の端部を基端として上下に弾性変位する。また、フック部７７１は、先端に上方への突起７７１ａを有している。突起７７１ａは、フック部７７１の基端側により緩やかな傾斜面、先端側により急峻な傾斜面を有し、これらが上端で滑らかに交わる側面視略三角形状に形成されている（図６参照）。
なお、本実施形態では、フック部７７１に所望の弾性や耐摩耗性を付与する目的で、下層部材７０（本体）とは別体の爪部材７７に当該フック部７７１を設けている。ただし、下層部材７０本体に要求される強度等の他の特性とフック部７７１の上記特性とを両立できるのであれば、下層部材７０本体に一体的にフック部７７１を設けてもよい。
【００３２】
また、下層部材７０には、チップ５７を固定するための固定部材７８が、前後２箇所に１つずつ設けられている。本実施形態の胴体４０では、チップ５７が上層部材５０の上面中央に装着されるようになっており、このチップ５７の被係止片５７ｃ（図５参照）が上層部材５０の前後両側の隙間から下層部材７０の上面付近にまで延出している。固定部材７８は、下層部材７０に対して径方向の位置を段階的に切り替え可能になっており、この位置の切り替えにより、チップ５７の被係止片５７ｃに係脱して当該チップ５７を固定又は解放できるようになっている。
なお、この固定部材７８は設けられていなくともよい。
【００３３】
２−３ｃ．中層部材６０について
中層部材６０は、本実施形態では、２つの第１可動部品６１と、２つの第２可動部品６２とから構成されている。これら２つの第１可動部品６１と２つの第２可動部品６２とは、胴体４０の外周部において周方向に交互に配置され、軸線Ａｘと直交する平面内で個別に移動可能なように、上層部材５０及び下層部材７０に支持されている。
【００３４】
このうち第１可動部品６１は、胴体４０の外周部の前後２箇所に１つずつ設けられている。各第１可動部品６１は、中心角９０度未満の略円弧板状に形成されている。各第１可動部品６１の外周面は、上層部材５０及び下層部材７０の外周面と径方向位置が略一致しており、当該第１可動部品６１の位置に応じて、上層部材５０や下層部材７０から部分的に外周側に突出している。
【００３５】
各第１可動部品６１の上面には、弧状溝６１ａ及び弧状突起６１ｂが形成されている。弧状溝６１ａは、反時計回り側の略半部に亘り、周方向に沿って形成された円弧状の溝部である。弧状突起６１ｂは、時計回り側の端部に設けられた円弧状の突起である。これら弧状溝６１ａ及び弧状突起６１ｂは、上層部材５０のガイド突起５５ａ及びガイド溝５５ｂに対応しており、弧状溝６１ａがガイド突起５５ａに、弧状突起６１ｂがガイド溝５５ｂに、それぞれ摺動可能な状態で嵌合する。
一方、各第１可動部品６１の下面には、弧状溝６１ｃ及び弧状突起６１ｄが形成されている。弧状溝６１ｃは、反時計回り側の略半部よりやや短い範囲に亘り、周方向に沿って形成された円弧状の溝部である。弧状突起６１ｄは、時計回り側の端部に設けられた円弧状の突起であり、上面の弧状突起６１ｂと同一の平面位置に設けられている。これら弧状溝６１ｃ及び弧状突起６１ｄは、下層部材７０のガイド突起７５ａ及びガイド溝７５ｂに対応しており、弧状溝６１ｃがガイド突起７５ａに、弧状突起６１ｄがガイド溝７５ｂに、それぞれ摺動可能な状態で嵌合する。
このように、各第１可動部品６１は、上面では弧状溝６１ａ及び弧状突起６１ｂが上層部材５０のガイド突起５５ａ及びガイド溝５５ｂに、下面では弧状溝６１ｃ及び弧状突起６１ｄが下層部材７０のガイド突起７５ａ及びガイド溝７５ｂに、それぞれ案内される。これにより、第１可動部品６１は、上層部材５０及び下層部材７０に対して周方向に移動可能となっている。
【００３６】
また、各第１可動部品６１の下面には、周方向に沿ったクラウンギヤ状のギヤ部６１１が形成されている。ギヤ部６１１が有する各歯６１１ａは、図６に示すように、反時計回り側（ＣＣＷ側；図６の左側）の面がより急峻で、時計回り側（ＣＷ側；図６の右側）の面がより緩やかに形成された鋸歯状となっている。また、各歯６１１ａの時計回り側の面は、爪部材７７の突起７７１ａにおける同じ側の面よりもやや急峻に形成されている。
ギヤ部６１１は、爪部材７７のフック部７７１先端の突起７７１ａと噛合してラチェット機構を構成している。このラチェット機構により、第１可動部品６１の位置は、フック部７７１の弾性力により突起７７１ａがギヤ部６１１と噛合う（歯６１１ａの間に位置する）位置に規制される。つまり、突起７７１ａがギヤ部６１１と噛合った状態から、第１可動部品６１が下層部材７０に対して反時計回り（図６の矢印の方向）に移動すると、フック部７７１が下方に弾性変形して歯６１１ａを乗り越えて再び元の位置に復帰する状態まで当該第１可動部品６１が移動する。また、第１可動部品６１を時計回りに回そうとしても、フック部７７１を下方に弾性変形させることができないため、第１可動部品６１をこの方向に移動させることができない。
このような構成により、各第１可動部品６１は、最も時計回り側に位置した初期状態から段階的に、所定の中心角範囲に亘って、不可逆的に反時計回り側へ移動可能となっている。本実施形態では、第１可動部品６１が、全部で５段階に亘って中心角約２５度の範囲で移動可能となっている。
【００３７】
一方、第２可動部品６２は、図３及び図４に示すように、胴体４０の外周部の左右２箇所に１つずつ設けられている。各第２可動部品６２は、前後方向に略沿って長尺な形状に形成されている。各第２可動部品６２の外周面は、上層部材５０及び下層部材７０の外周面と径方向位置が略一致しつつ、これら上層部材５０や下層部材７０よりもやや外周側に突出している。
【００３８】
各第２可動部品６２の平面視中央には、上下への貫通孔６２ａが形成されている。貫通孔６２ａは、当該第２可動部品６２の長手方向に沿って長尺に形成されている。この貫通孔６２ａは、反時計回り側の一端面が、上層部材５０の第１ボス５４ａに対応した平面視半円状に形成されており、時計回り側の他端面には、付勢ばね（コイルばね）６２１を支持する支持突起６２ｂが突設されている。
各第２可動部品６２の上面には、貫通孔６２ａの前後両側に、当該第２可動部品６２の長手方向に沿った２つの直線状溝６２ｃが形成されている。これら２つの直線状溝６２ｃは、上層部材５０の１組の直線状ガイド突起５６に対応しており、当該１組の直線状ガイド突起５６が摺動可能な状態で嵌合するようになっている。
一方、各第２可動部品６２の下面には、その長手方向の両端に、２つの直線状突起６２ｄが形成されている。これら２つの直線状突起６２ｄは、下層部材７０の１組の直線状ガイド溝７６に対応しており、当該１組の直線状ガイド溝７６が摺動可能な状態で嵌合するようになっている。
このように、各第２可動部品６２は、上面では直線状溝６２ｃが上層部材５０の直線状ガイド突起５６に、下面では直線状突起６２ｄが下層部材７０の直線状ガイド溝７６に、それぞれ案内される。これにより、第２可動部品６２は、上層部材５０及び下層部材７０に対し、当該第２可動部品６２の長手方向、すなわち軸線Ａｘを中心とする接線方向に沿って移動可能となっている。
また、各第２可動部品６２の貫通孔６２ａ内には、上層部材５０の第１ボス５４ａが挿通される。この際、貫通孔６２ａ内には、時計回り側の他端面と、上層部材５０の第１ボス５４ａとの間に、付勢ばね６２１が配置される。付勢ばね６２１は、一端を支持突起６２ｂに支持された状態で、貫通孔６２ａの長手方向に沿って伸縮するように配置される。つまり、この付勢ばね６２１は、上層部材５０に対し、貫通孔６２ａの長手方向に沿って時計回り側へ、第２可動部品６２を付勢する。各第２可動部品６２は、付勢ばね６２１に付勢されて上層部材５０の第１ボス５４ａが貫通孔６２ａ内の一端面に当接した状態（図９（ａ）参照）から、反時計回り側に移動して付勢ばね６２１が縮み切った状態（図１０参照）まで移動する。本実施形態では約５ｍｍ移動する。この第２可動部品６２の可動範囲（単体での全範囲）は、その周方向の両側に隣り合う２つの第１可動部品６１の各可動範囲と一部が重複している。
【００３９】
また、第２可動部品６２のうち、貫通孔６２ａの周辺部は、上層部材５０の透明部５３の下方に位置している。そのため、ユーザ（遊戯者）は、図７に示すように、貫通孔６２ａ内で伸び縮みする付勢ばね６２１の状態等を、透明部５３を通じて上方から視認することができる。
【００４０】
《３．組立方法》
次に、コマ玩具１の全体の組立方法を説明する。なお、軸部１０と胴体４０それぞれの組立は完了しているものとする。また、胴体４０にはチップ５７が装着されている。
図２及び図３に示すように、まず、軸部１０の突出部１６を下方から性能可変リング３０の凹部３２に合致させるようにして、軸部１０と性能可変リング３０を嵌合状態に組み付ける。次に、この組付け体を胴体４０に下方から近付ける。この際、上記組付け体の性能可変リング３０の舌片３３を胴体４０の弧状スリット５１，７２の時計回り側の端部に合致させる。この状態は、軸部１０の爪１７と胴体４０（下層部材７０）の爪７１ａとが上下方向で重なっていない状態である。この状態が結合解除状態である。その後、上記組付け体の軸部１０を胴体４０側に押圧する。すると、まず、性能可変リング３０が胴体４０の下面に押し当てられる。さらに、軸部１０内のコイルスプリング１９が縮み、軸部１０の爪１７が胴体４０の爪７１ａよりも上方に相対的に押し上げられる。そして、軸部１０を性能可変リング３０と一体的に胴体４０に対して舌片３３が上記端部とは反対側の反時計回り側の端部まで回転させる。すると、軸部１０の爪１７と胴体４０の爪７１ａとが上下で重なった状態となる。そして、軸部１０から手を離すと、軸部１０内のコイルスプリング１９の付勢力によって、軸部１０の爪１７の下面と胴体４０の爪７１ａの上面とが当接される。この状態、すなわち軸部１０の爪１７の下面と胴体４０の爪７１ａの上面とが当接された状態が結合状態である。これにより、軸部１０と、性能可変リング３０及び胴体４０とが結合され、コマ玩具１が組み立てられる。
【００４１】
《４．遊び方》
４−１．基本的な遊び方
続いて、コマ玩具１を使用した遊び方の一例を説明する。
図８は、コマ玩具１を回転駆動させるランチャーの一例を示した斜視図である。
この遊び方の一例では、コマ玩具１を回転させて、相手方のコマ玩具１と戦いを行う。
この場合、コマ玩具１の回転力のチャージは、図８に示すようなランチャー８０によって行われる。このランチャー８０は、内部に図示しない円板を備え、その円板を図示しないゼンマイばねで一の回転方向に付勢するとともに、円板の周囲に卷回させた図示しない紐をハンドル８１で引くと、円板が回転され、コマホルダー８３が回転されるように構成されている。このコマホルダー８３の回転は、下方に突設されたフォーク８４によってコマ玩具１に伝達され、コマ玩具１を回転させる。この場合、フォーク８４は胴体４０の弧状スリット５１，７２に差し込まれる。そして、ランチャー８０のハンドル８１を引き切ると、円板ひいてはコマホルダー８３の回転が停止する一方で、コマ玩具１は慣性力によって尚も回転するので、フォーク８４の傾斜面８４ａに倣ってコマ玩具１がコマホルダー８３から外れる。
なお、図８において符号８２はコマホルダー８３に対して出没可能なロッドである。このロッド８２はコマホルダー８３にコマ玩具１を装着した際にコマ玩具１の上面に押されてコマホルダー８３内に没する。このロッド８２は例えばコマ玩具１の着脱の検出に使用される。
【００４２】
このようにして発射されたコマ玩具１は、本実施形態では所定のフィールドで時計回りに回転する。このコマ玩具１が相手方のコマ玩具１に衝突すると、衝突による衝撃力や擦れ等によって、胴体４０には、軸部１０及び性能可変リング３０の回転方向とは反対方向の力が作用し、それによって、胴体４０が軸部１０及び性能可変リング３０の回転方向に対して反対の方向に相対的に回転する。
そして、衝突による衝撃力が作用する毎に胴体４０に対して軸部１０が相対回転していく。このとき、軸部１０の凸条２０と、上層部材５０に装着されたチップ５７の起伏部５７ｂとが噛合しており、軸部１０の凸条２０にはコイルスプリング１９の付勢力が作用している。そのため、衝撃力が作用する毎に、これら凸条２０と起伏部５７ｂとが抵抗要素として作用しつつ噛み合い位置を変更することで、胴体４０と軸部１０とが相対回転していく。そして、軸部１０と胴体４０とが結合解除位置まで達すると、胴体４０の爪７１ａが軸部１０の爪１７から外れるため、軸部１０内のコイルスプリング１９の付勢力によって胴体４０が軸部１０から離反する。その結果、コマ玩具１は、図１（ｂ）に示したように分解される。
【００４３】
４−２．胴体４０の変化態様
続いて、コマ玩具１の使い込みに伴う胴体４０の変化態様について説明する。
図９及び図１０は、上層部材５０及び下層部材７０に対する中層部材６０（第１可動部品６１及び第２可動部品６２）の動きを説明するための胴体４０の平面図である。なお、図９及び図１０では、第１可動部品６１及び第２可動部品６２の動きを分かり易くするため、上層部材５０を二点鎖線で外縁のみ示し、第１可動部品６１及び第２可動部品６２の外縁を太線で示している。また、図９（ｂ）及び図１０では、２つの第１可動部品６１が同様に移動した状態を示しているが、当該２つの第１可動部品６１は個別に移動可能である。
本実施形態のコマ玩具１は、使い込むにしたがって、中層部材６０（第１可動部品６１及び第２可動部品６２）の位置や可動範囲が次第に変わることで胴体４０が変化し、相手方のコマ玩具１との衝突態様も変わっていく。
【００４４】
具体的に、まださほど使い込まれていない初期状態のコマ玩具１（胴体４０）では、図９（ａ）に示すように、第１可動部品６１がその可動範囲のうちの時計回り側（回転方向側）に位置するとともに、その時計回り側の端面が第２可動部品６２の反時計回り側の端面と接触している。一方、第２可動部品６２は、付勢ばね６２１の付勢力により、当該付勢ばね６２１が貫通孔６２ａ内で伸び切って上層部材５０の第１ボス５４ａが当該貫通孔６２ａ内の反時計回り側の一端面に当接しており、その可動範囲のうち最も時計回り側（回転方向側）に位置している。この状態では、第２可動部品６２は、反時計回り側の端面が第１可動部品６１と接触しているため、移動することができない。
この初期状態（変化前）では、下層部材７０の高弾性部７０ａはその殆どが第１可動部品６１又は第２可動部品６２に覆われており、相手方のコマ玩具１との衝突は、専ら第１可動部品６１又は第２可動部品６２による単純な衝突態様のものとなる。
【００４５】
初期状態において第１可動部品６１が相手方のコマ玩具１と衝突する（あるいはこの衝突を繰り返す）と、当該第１可動部品６１は、爪部材７７のフック部７７１とギヤ部６１１とで構成されるラチェット機構により、図９（ｂ）に示すように、上層部材５０及び下層部材７０に対して段階的かつ不可逆的に反時計回り側（回転方向とは反対方向）に移動する。これにより、第１可動部品６１の時計回り側の端面が第２可動部品６２の反時計回り側の端面から離間する。そのため、第２可動部品６２は、反時計回り側の端面が第１可動部品６１と当接するまで（第１可動部品６１が当該第２可動部品６２の移動直線上に位置しなくなった場合には貫通孔６２ａ内の付勢ばね６２１が縮み切るまで）の範囲内で、付勢ばね６２１の付勢力に抗して長手方向に移動可能となる。
この変化途中の状態では、各第１可動部品６１の移動に伴って当該第１可動部品６１の時計回り側から下層部材７０の高弾性部７０ａが露出する。そのため、この露出した２箇所の高弾性部７０ａで相手方のコマ玩具１と衝突することにより、初期状態よりも強い攻撃を繰り出すことができる。さらに、付勢ばね６２１により時計回り側（すなわち回転方向と同じ向き）に付勢された第２可動部品６２が移動可能となるため、第２可動部品６２で相手方のコマ玩具１と衝突したときに、付勢ばね６２１により衝突時の衝撃を緩和することができる。あるいは、付勢ばね６２１の付勢力が強い場合には、この付勢力により相手方のコマ玩具１を跳ね返すことができる。
【００４６】
第１可動部品６１が相手方のコマ玩具１との衝突を繰り返してさらに反時計回り側に不可逆的に移動していくと、第１可動部品６１の反時計回り側の端面が第２可動部品６２の時計回り側の端面と当接する。すると、第２可動部品６２は、付勢ばね６２１の付勢力に抗して第１可動部品６１に押されて反時計回り側に移動していき、その可動範囲が次第に狭まっていく。そして、図１０に示すように、遂には貫通孔６２ａ内で付勢ばね６２１が縮み切り、第２可動部品６２がこれ以上反時計回り側に移動できない状態となる。こうして、第１可動部品６１及び第２可動部品６２のいずれもが各々の可動範囲（隣り合う可動部品との干渉を考慮した実際の可動範囲）のうち最も反時計回り側に位置してこれ以上移動しない、変化し切った状態となる。
この変化後の状態では、各第２可動部品６２の移動に伴って当該第２可動部品６２の時計回り側から、変化途中の状態において先に露出していたものとは異なる下層部材７０の高弾性部７０ａが露出する。そのため、この露出した４箇所の高弾性部７０ａで相手方のコマ玩具１と衝突することにより、上述した変化途中の状態よりもさらに強い攻撃を繰り出すことができる。
【００４７】
《本実施形態の効果》
以上のように、本実施形態のコマ玩具１によれば、胴体４０が、所定の可動範囲内で段階的に移動可能に構成された第１可動部品６１と、当該第１可動部品６１の可動範囲と一部が重複する可動範囲を有し、第１可動部品６１の位置に応じて当該可動範囲が変化する第２可動部品６２とを備える。すなわち、この胴体４０では、第１可動部品６１が段階的に移動するとともに、この第１可動部品６１に規制されて第２可動部品６２の可動範囲が変化する。
したがって、胴体４０を興趣性に富んだ変化態様で変化させることができる。
【００４８】
また、本実施形態によれば、第１可動部品６１及び第２可動部品６２を支持する下層部材７０が、第１可動部品６１及び第２可動部品６２よりも高弾性の材料で構成された高弾性部７０ａを外周部に有しており、この高弾性部７０ａは、第１可動部品６１及び第２可動部品６２の位置の変化に応じて、当該第１可動部品６１及び当該第２可動部品６２から次第に露出する。
これにより、第１可動部品６１及び第２可動部品６２の位置の変化に伴って、相手方のコマ玩具１に対し高弾性部７０ａによる強い攻撃を繰り出せるように、胴体４０を変化させることができる。
【００４９】
《本発明の変形例》
以上、本発明の実施形態について説明したが、本発明は、かかる実施形態に限定されるものではなく、その要旨を逸脱しない範囲で、種々変形が可能であることは言うまでもない。
例えば、上記実施形態では、第１可動部品６１がラチェット機構により周方向に段階的に移動するように構成されているが、当該第１可動部品６１は、所定の可動範囲内で段階的に移動可能に構成されていればよく、その移動方向や機構・構造等は特に限定されない。
また上記実施形態では、第１可動部品６１がラチェット機構により不可逆的に移動するように構成されているが、この移動は不可逆的でなくともよい。例えば、遊戯中に移動した第１可動部品６１をユーザが手動で戻せるように構成されていてもよい。また、第１可動部品６１は、一方向に移動可能な一方で、その反対方向には移動しにくく構成されていてもよい。具体的には、第１可動部品６１と上層部材５０又は下層部材７０との各々に、第１可動部品６１の上記反対方向への移動を相対的に妨げるような接触部を設けるなどすればよい。この構造はラチェット機構と併用してもよい。
【００５０】
また上記実施形態では、第２可動部品６２が、軸線Ａｘを中心とする接線方向に沿って移動可能に構成されており、このうちの時計回り側（回転方向側）に付勢されていることとした。しかし、第２可動部品６２は、第１可動部品６１の可動範囲と一部が重複する可動範囲を有し、この可動範囲が第１可動部品６１に規制されたりされなかったりして変化するものであればよい。したがって、第２可動部品６２の移動方向やそのうちの付勢方向は、上記実施形態のものに限定されない。さらに言えば、第２可動部品６２は付勢されていなくともよい。
【００５１】
また上記実施形態では、ラチェット機構による第１可動部品６１の移動により胴体４０の状態が複数段階に変化（進化）するものとした。しかし、胴体４０は、第１可動部品６１が第２可動部品６２の回転方向とは反対側の端部に当接して第２可動部品６２の移動が規制された第１の状態と、第１の状態から第１可動部品６１が回転方向とは反対方向に移動して第２可動部品６２が移動可能な第２の状態との、少なくとも２つの状態に変化できればよい。ただし、胴体４０は、第２の状態から第１可動部品６１が回転方向とは反対方向にさらに移動して第２可動部品６２の回転方向側の端部に当接し、第２可動部品６２の移動が規制された第３の状態に、さらに変化できることがより好ましい。
【００５２】
また上記実施形態では、第１可動部品６１及び第２可動部品６２が２つずつ設けられていることとしたが、これら第１可動部品６１及び第２可動部品６２は、互いに同数であれば、その数量は特に限定されない。
【００５３】
また、上記実施形態ではコマ玩具１の回転方向が時計回りであることとしたが、この回転方向は反時計回りであってもよい。ただし、その場合に、回転方向に依存する形状・構造（例えば、付勢ばね６２１の付勢方向や、ラチェット機構による第１可動部品６１の移動方向など）を周方向に反転させる必要があるのは勿論である。
【符号の説明】
【００５４】
１      コマ玩具
１０    軸部
４０    胴体
５０    上層部材
５３    透明部
５４ａ  第１ボス
６０    中層部材
６１    第１可動部品
６２    第２可動部品
６２ａ  貫通孔
７０    下層部材
７０ａ  高弾性部
７３ａ  第１貫通孔
７７    爪部材
６１１  ギヤ部
６１１ａ  歯
６２１  付勢ばね
７７１  フック部
７７１ａ  突起
Ａｘ    軸線
【要約】
【課題】コマ玩具の胴体を興趣性に富んだ変化態様で変化させる。
【解決手段】コマ玩具１は、胴体４０と軸部１０とを備える。胴体４０は、所定の可動範囲内で段階的に移動可能に構成された第１可動部品６１と、第１可動部品６１の可動範囲と一部が重複する可動範囲を有し、第１可動部品６１の位置に応じて当該可動範囲が変化する第２可動部品６２とを有する。
【選択図】図９【図１】
0006656683.tif 000002
【図２】
0006656683.tif 000003
【図３】
0006656683.tif 000004
【図４】
0006656683.tif 000005
【図５】
0006656683.tif 000006
【図６】
0006656683.tif 000007
【図７】
0006656683.tif 000008
【図８】
0006656683.tif 000009
【図９】
0006656683.tif 000010
【図１０】
0006656683.tif 000011